(57)【特許請求の範囲】
【請求項１】
前後方向に２枚の第一及び第二のカーテン生地をフレームから第一及び第二の取付部材を介して吊下支持し、前記フレームの端部に前記カーテン生地を昇降操作する操作装置を備えたたくし上げカーテンにおいて、
前記第一及び第二の取付部材のいずれも前記操作装置の端部まで延設し、前記操作装置には、前記第二の取付部材との干渉を回避する回避溝を設け、前記第一及び第二の取付部材の全長に亘って前記第一及び第二のカーテン生地を取着したことを特徴とするたくし上げカーテンの生地取付装置。
【請求項２】
前後方向に２枚の第一及び第二のカーテン生地をフレームから第一及び第二の取付部材を介して吊下支持し、前記フレームの端部に前記カーテン生地を昇降操作する操作装置を備えたたくし上げカーテンにおいて、
前記第一及び第二の取付部材の少なくともいずれかを前記操作装置の端部まで延設し、前記第一及び第二の取付部材の全長に亘って前記第一及び第二のカーテン生地を取着し、
前記フレームの前面に第一の取付部材を介して前記第一のカーテン生地の上端を取着し、前記フレームの中間壁に吊下支持した第二の取付部材を前記操作装置の端部まで延長し、前記第二の取付部材の全長と同一幅の前記第二のカーテン生地の上端を該第二の取付部材に取着したことを特徴とするたくし上げカーテンの生地取付装置。
【請求項３】
前記フレームの前面から前記操作装置の前面まで第一の取付部材を取着し、前記第一の取付部材に前記第一のカーテン生地の上端部を取着したことを特徴とする請求項１又は２記載のたくし上げカーテンの生地取付装置。
【請求項４】
前記第一の取付部材は、
前記フレームの前面から前記操作装置の前面にかけて形成した保持溝と、
前記保持溝に支持される面ファスナーと
を備えたことを特徴とする請求項３記載のたくし上げカーテンの生地取付装置。
【請求項５】
前記操作装置には、前記第二の取付部材との干渉を回避する回避溝を設けたことを特徴とする請求項２乃至４のいずれか１項に記載のたくし上げカーテンの生地取付装置。
【請求項６】
前後方向に２枚の第一及び第二のカーテン生地をフレームから第一及び第二の取付部材を介して吊下支持し、前記フレームの端部に前記カーテン生地を昇降操作する操作装置を備えたたくし上げカーテンにおいて、
前記第一及び第二の取付部材の少なくともいずれかを前記操作装置の端部まで延設し、前記第一及び第二の取付部材の全長に亘って前記第一及び第二のカーテン生地を取着し、
前記操作装置のケースにプーリーを回転可能に支持し、前記プーリーにボールチェーンを掛装して前記ボールチェーンの操作により前記第一及び第二のカーテン生地を昇降可能とし、前記ケースには前記ボールチェーンを前記第一のカーテン生地と第二のカーテン生地との間に垂下するガイド溝を設けたことを特徴とするたくし上げカーテンの生地取付装置。
【発明の詳細な説明】
【技術分野】
【０００１】
この発明は、たくし上げカーテンのカーテン生地をフレームに取着する取付装置に関するものである。
【背景技術】
【０００２】
たくし上げカーテンは、フレームからカーテン生地が吊下支持され、そのカーテン生地の下端部を昇降コードで引き上げ、あるいは下降させて採光量を調節可能としたものである。
【０００３】
このようなたくし上げカーテンの一種類として、フレームから異なる素材の２枚のカーテン生地を重ねて吊下支持した二重タイプのたくし上げカーテンがある。このたくし上げカーテンは、例えば室外側にレース生地等の透光性を備えた生地が吊下支持され、室内側に遮光性を備えた生地が吊下支持され、各カーテン生地をそれぞれ独立して昇降することにより、採光量を適宜に調節可能としている。
【０００４】
図１７〜図２３は、２枚のカーテン生地を昇降可能としたたくし上げカーテンの従来例を示す。図１７、図１８及び図２２、図２３に示すように、フレーム１の前面には第一の面ファスナー２を収容可能とした取付溝３がフレーム１の全長に亘って形成され、その取付溝３に第一の面ファスナー２が挿入されている。
【０００５】
フレーム１の中間壁４には、フレーム１の全長に亘って取付辺５が吊下支持され、その取付辺５に形成された取付溝６に第二の面ファスナー７が挿入されている。
そして、図１８に示すように、第一の面ファスナー２から室内側に位置する第一のカーテン生地８が吊下支持され、第二の面ファスナー７から室外側に位置する第二のカーテン生地９が吊下支持される。第一のカーテン生地８は遮光性を備えた生地で形成され、第二のカーテン生地９はレース生地等の透光性を備えた生地で形成される。
【０００６】
前記第一のカーテン生地８の下端部にはそれぞれ複数本の昇降コードが取着される。そして、フレーム１内のコード巻取り装置に昇降コードが巻き取られると、第一のカーテン生地８がたくし上げられ、昇降コードがコード巻取り装置から巻き戻されると、第一のカーテン生地８が下降する。
【０００７】
第二のカーテン生地９も同様に、その下端部にそれぞれ複数本の昇降コードが取着される。そして、フレーム１内のコード巻取り装置に昇降コードが巻き取られると、第二のカーテン生地９がたくし上げられ、昇降コードがコード巻取り装置から巻き戻されると、第二のカーテン生地９が下降する。
【０００８】
フレーム１の一端には操作装置１０が取着され、図２１に示すように、その操作装置１０のケース１１にプーリー１２が回転可能に支持されている。そして、プーリー１２にボールチェーン１３が掛装されている。
【０００９】
図２０に示すように、操作装置１０のケース１１内には前記プーリー１２と一体に回転する駆動歯車１４が回転可能に支持され、その駆動歯車１４に噛み合う一対の伝達歯車１５ａ，１５ｂが回転可能に支持されている。
【００１０】
図１９に示すように、前記ケース１１には前記フレーム１内に突出される一対のクラッチケース１６ａ，１６ｂが形成され、そのクラッチケース１６ａ，１６ｂ内には前記伝達歯車１５ａ，１５ｂの回転に基づいて動作するクラッチ装置が収容される。クラッチ装置の出力軸１７ａ，１７ｂに第一及び第二の駆動軸１８ａ，１８ｂがそれぞれ嵌合されている。
【００１１】
このような構成により、ボールチェーン１３を図１８示す矢印Ａ方向に引くと、プーリー１２及び伝達歯車１５ａを介してクラッチケース１６ａ内のクラッチ装置が作動して、第一の駆動軸１８ａが回転され、コード巻取り装置に昇降コードが巻き取られて第一のカーテン生地８がたくし上げられる。
【００１２】
第一のカーテン生地８が所望高さまでたくし上げられた状態でボールチェーン１３を手放すと、クラッチケース１６ａ内のクラッチ装置の作動により、たくし上げカーテンの自重降下が阻止され、第一のカーテン生地８が所望高さに吊下支持される。
【００１３】
また、第一のカーテン生地８が所望高さに吊下支持されている状態から、ボールチェーン１３を矢印Ａ方向に僅かに引くと、クラッチ装置の作動が解除され、第一のカーテン生地８を自重降下により下降操作可能となっている。
【００１４】
ボールチェーン１３を図１８示す矢印Ｂ方向に引くと、プーリー１２及び伝達歯車１５ｂを介してクラッチケース１６ｂ内のクラッチ装置が作動して、第二の駆動軸１８ｂが回転され、コード巻取り装置に昇降コードが巻き取られて第二のカーテン生地９がたくし上げられる。
【００１５】
第二のカーテン生地９が所望高さまでたくし上げられた状態でボールチェーン１３を手放すと、クラッチケース１６ｂ内のクラッチ装置の作動により、たくし上げカーテンの自重降下が阻止され、第二のカーテン生地９が所望高さに吊下支持される。
【００１６】
また、第二のカーテン生地９が所望高さに吊下支持されている状態から、ボールチェーン１３を矢印Ｂ方向に僅かに引くと、クラッチ装置の作動が解除され、第二のカーテン生地９を自重降下により下降操作可能となっている。
【先行技術文献】
【特許文献】
【００１７】
【特許文献１】特開２０１０−５３１５
【特許文献２】特開平８−１７７３４６
【発明の概要】
【発明が解決しようとする課題】
【００１８】
上記のようなたくし上げカーテンでは、第一のカーテン生地８及び第二のカーテン生地９がほぼフレーム１の全長に等しい横幅で吊下支持される。すると、図１７に示すように、第一及び第二のカーテン生地８，９の端縁と窓枠等との間に操作装置１０の厚み分の隙間Ｘが生じ、この隙間Ｘから光が漏れるという問題点がある。
【００１９】
一方、室内側の第一のカーテン生地８の横幅を、操作装置１０を覆う位置まで延長すれば、隙間Ｘをほぼなくすことができるが、操作装置１０の前面には面ファスナーが設けられていないので、操作装置１０の前面部分の第一のカーテン生地８が垂れ下がり易い。
【００２０】
また、第一のカーテン生地８と第二のカーテン生地９を、異なる横幅で縫製する必要があるため、縫製作業が煩雑となるという問題点がある。
特許文献１には、上記従来技術と同様なたくし上げカーテンが開示されている。
【００２１】
特許文献２には、カーテンの操作コードの係止操作側を変更可能とする構成が開示されている。
この発明の目的は、カーテン生地の端部からの光漏れを防止しながら、カーテン生地の端部の垂れ下がりを防止し得るたくし上げカーテンの生地取付装置を提供することにある。
【課題を解決するための手段】
【００２２】
請求項１では、前後方向に２枚の第一及び第二のカーテン生地をフレームから第一及び第二の取付部材を介して吊下支持し、前記フレームの端部に前記カーテン生地を昇降操作する操作装置を備えたたくし上げカーテンにおいて、前記第一及び第二の取付部材のいずれも前記操作装置の端部まで延設し、前記操作装置には、前記第二の取付部材との干渉を回避する回避溝を設け、前記第一及び第二の取付部材の全長に亘って前記第一及び第二のカーテン生地を取着した。
【００２３】
請求項２では、前後方向に２枚の第一及び第二のカーテン生地をフレームから第一及び第二の取付部材を介して吊下支持し、前記フレームの端部に前記カーテン生地を昇降操作する操作装置を備えたたくし上げカーテンにおいて、前記第一及び第二の取付部材の少なくともいずれかを前記操作装置の端部まで延設し、前記第一及び第二の取付部材の全長に亘って前記第一及び第二のカーテン生地を取着し、前記フレームの前面に第一の取付部材を介して前記第一のカーテン生地の上端を取着し、前記フレームの中間壁に吊下支持した第二の取付部材を前記操作装置の端部まで延長し、前記第二の取付部材の全長と同一幅の前記第二のカーテン生地の上端を該第二の取付部材に取着した。
【００２４】
請求項３では、前記フレームの前面から前記操作装置の前面まで第一の取付部材を取着し、前記第一の取付部材に前記第一のカーテン生地の上端部を取着した。
請求項４では、前記第一の取付部材は、前記フレームの前面から前記操作装置の前面にかけて形成した保持溝と、前記保持溝に支持される面ファスナーとを備えた。
【００２５】
請求項５では、前記操作装置には、前記第二の取付部材との干渉を回避する回避溝を設けた。
請求項６では、前後方向に２枚の第一及び第二のカーテン生地をフレームから第一及び第二の取付部材を介して吊下支持し、前記フレームの端部に前記カーテン生地を昇降操作する操作装置を備えたたくし上げカーテンにおいて、前記第一及び第二の取付部材の少なくともいずれかを前記操作装置の端部まで延設し、前記第一及び第二の取付部材の全長に亘って前記第一及び第二のカーテン生地を取着し、前記操作装置のケースにプーリーを回転可能に支持し、前記プーリーにボールチェーンを掛装して前記ボールチェーンの操作により前記第一及び第二のカーテン生地を昇降可能とし、前記ケースには前記ボールチェーンを前記第一のカーテン生地と第二のカーテン生地との間に垂下するガイド溝を設けた。
【発明の効果】
【００２６】
本発明によれば、カーテン生地の端部からの光漏れを防止しながら、カーテン生地の端部の垂れ下がりを防止し得るたくし上げカーテンの生地取付装置を提供することができる。
【図面の簡単な説明】
【００２７】
【図１】第一の実施形態のたくし上げカーテンを示す斜視図である。
【図２】第一の実施形態のたくし上げカーテンを示す側面図である。
【図３】第一の実施形態の生地取付装置を示す正面図である。
【図４】第一の実施形態の生地取付装置を示す断面図である。
【図５】第一の実施形態の操作装置を示す斜視図である。
【図６】第一の実施形態の操作装置を示す側面図である。
【図７】第一の実施形態の操作装置を示す側面図である。
【図８】第一の実施形態の生地取付装置を示す斜視図である。
【図９】第一の実施形態の生地取付装置を示す斜視図である。
【図１０】第二の実施形態の生地取付装置を示す正面図である。
【図１１】第二の実施形態の生地取付装置を示す断面図である。
【図１２】第二の実施形態の操作装置を示す斜視図である。
【図１３】第二の実施形態の操作装置を示す側面図である。
【図１４】第二の実施形態の操作装置を示す側面図である。
【図１５】操作装置の別例を示す側面図である。
【図１６】操作装置の別例を示す側面図である。
【図１７】従来の生地取付装置を示す正面図である。
【図１８】従来の生地取付装置を示す断面図である。
【図１９】従来の操作装置を示す斜視図である。
【図２０】従来の操作装置を示す側面図である。
【図２１】従来の操作装置を示す側面図である。
【図２２】従来の生地取付装置を示す斜視図である。
【図２３】従来の生地取付装置を示す斜視図である。
【発明を実施するための形態】
【００２８】
（第一の実施形態）
以下、この発明を具体化したたくし上げカーテンの生地取付装置の第一の実施形態を図面に従って説明する。
【００２９】
図１及び図２に示すたくし上げカーテンは、フレーム２１の前面から第一のカーテン生地２２ａが吊下支持され、フレーム２１の前後方向中央部から第二のカーテン生地２２ｂが吊下支持されている。各カーテン生地２２ａ，２２ｂの背面側には複数の案内リング２４が上下方向に複数列設けられている。
【００３０】
第一のカーテン生地２２ａの案内リング２４には前記フレーム２１から垂下される複数本の昇降コード２３ａが挿通され、第二のカーテン生地２２ｂの案内リング２４には前記フレーム２１から垂下される複数本の昇降コード２３ｂが挿通されている。そして、前記昇降コード２３ａ，２３ｂの下端にそれぞれ取着されたフック２５が前記第一及び第二のカーテン生地２２ａ，２２ｂの下端部にそれぞれ取着されている。
【００３１】
前記第一及び第二のカーテン生地２２ａ，２２ｂは、室内側に吊下支持される第一のカーテン生地２２ａが遮光性を備えた生地で形成され、室外側に吊下支持される第二のカーテン生地２２ｂが透光性を備えたレース生地等で形成される。
【００３２】
また、第一のカーテン生地２２ａを透光性を備えた生地で形成し、室外側に吊下支持される第二のカーテン生地２２ｂを遮光性を備えたレース生地等で形成してもよい。
前記フレーム２１は、図４に示すように、下方を開口した四角筒状の２つの収容部２６ａ，２６ｂを備えた形材で形成され、各収容部２６ａ，２６ｂには、図１、図４及び図５に示すように、昇降コード巻取り装置２７ａ，２７ｂ、減速調整装置２８、ストッパ装置２９が収容され、それらに第一及び第二の駆動軸３０ａ，３０ｂが挿通されている。
【００３３】
そして、前記昇降コード２３ａが昇降コード巻取り装置２７ａから垂下され、前記昇降コード２３ｂが昇降コード巻取り装置２７ｂから垂下されている。昇降コード２３ａ，２３ｂの昇降コード巻取り装置２７ａ，２７ｂへの巻き取り方向は、互いに逆方向となっている。
【００３４】
前記フレーム２１の一端には操作装置３１が取着され、図７に示すように、その操作装置３１のケース３４に回転可能に支持されるプーリー３３にボールチェーン３２が掛装されている。前記ケース３４には、前記プーリー３３に掛装されたボールチェーン３２をケース３４の前部に案内するガイド溝３９が形成され、図４に示すように、ボールチェーン３２は前記第一のカーテン生地２２ａと第二のカーテン生地２２ｂとの間に垂下されている。
【００３５】
前記ケース３４内には、図６に示すように、前記プーリー３３と一体に回転する駆動歯車３５が回転可能に支持されている。駆動歯車３５は、前記プーリー３３と同一の回転軸で一体に回転するとともに、ケース３４内で中央部やや上方に位置している。
【００３６】
前記駆動歯車３５の前後両側において、前記ケース３４には前記駆動歯車３５に常時噛み合う伝達歯車３６ａ，３６ｂが回転可能に支持されている。従って、駆動歯車３５が回転されると、伝達歯車３６ａ，３６ｂが同方向に回転される。
【００３７】
図５に示すように、前記ケース３４には前記フレーム２１内に突出される一対のクラッチケース３７ａ，３７ｂが形成され、そのクラッチケース３７ａ，３７ｂ内には前記伝達歯車３６ａ，３６ｂの回転に基づいて動作するクラッチ装置が収容される。クラッチ装置の出力軸３８ａ，３８ｂに前記第一及び第二の駆動軸３０ａ，３０ｂがそれぞれ嵌合されている。
【００３８】
このような構成により、ボールチェーン３２を図４に示す矢印Ａ方向に引くと、プーリー３３を介して伝達歯車３６ａ，３６ｂが図６に示す矢印Ｃ方向に回転される。すると、クラッチケース３７ａ内のクラッチ装置の作動により、第一の駆動軸３０ａが回転され、昇降コード巻取り装置２７ａに昇降コード２３ａが巻き取られて第一のカーテン生地２２ａがたくし上げられる。
【００３９】
このとき、クラッチケース３７ｂ内のクラッチ装置は、第二の駆動軸３０ｂに回転力を伝達せず、第二のカーテン生地２２ｂがたくし上げられることはない。
第一のカーテン生地２２ａを所望高さまで引き上げた後、ボールチェーン３２を手放すと、ストッパ装置２９が作動して第一のカーテン生地２２ａの重量による第一の駆動軸３０ａの回転が阻止され、第一のカーテン生地２２ａが所望高さに保持される。
【００４０】
また、第一のカーテン生地２２ａが所望高さに保持されている状態から、ボールチェーン３２を矢印Ａ方向に僅かに引いた後に手放すと、ストッパ装置２９の作動が解除される。従って、第一のカーテン生地２２ａを自重降下により下降操作可能となっている。
【００４１】
ボールチェーン３２を図４に示す矢印Ｂ方向に引くと、プーリー３３を介して伝達歯車３６ａ，３６ｂが図６に示す矢印Ｄ方向に回転される。すると、クラッチケース３７ｂ内のクラッチ装置の作動により、第二の駆動軸３０ｂが回転され、昇降コード巻取り装置２７ｂに昇降コード２３ｂが巻き取られて第二のカーテン生地２２ｂがたくし上げられる。
【００４２】
このとき、クラッチケース３７ａ内のクラッチ装置は、第一の駆動軸３０ａに回転力を伝達せず、第一のカーテン生地２２ａがたくし上げられることはない。
第二のカーテン生地２２ｂを所望高さまで引き上げた後、ボールチェーン３２を手放すと、ストッパ装置２９が作動して第二のカーテン生地２２ｂの重量による第二の駆動軸３０ｂの回転が阻止され、第二のカーテン生地２２ｂが所望高さに保持される。
【００４３】
また、第二のカーテン生地２２ｂが所望高さに保持されている状態から、ボールチェーン３２を矢印Ｂ方向に僅かに引いた後に手放すと、ストッパ装置２９の作動が解除される。従って、第二のカーテン生地２２ｂを自重降下により下降操作可能となっている。
【００４４】
次に、前記第一及び第二のカーテン生地２２ａ，２２ｂをフレーム２１に取着する取付装置について説明する。
図４及び図８に示すように、前記フレーム２１の前面には同フレーム２１の全長に亘って面ファスナー４０を保持するための保持溝４１が形成され、その保持溝４１に面ファスナー４０が挿通されている。
【００４５】
前記操作装置３１のケース３４の前面には、前記保持溝４１に連通する保持溝４２が形成されている。そして、図９に示すように、前記面ファスナー４０は前記保持溝４１から保持溝４２にまで挿通されている。
【００４６】
前記第一のカーテン生地２２ａは、前記フレーム２１と操作装置３１をほぼ覆う横幅で形成され、第一のカーテン生地２２ａの上端部が前記面ファスナー４０に取着されている。従って、第一のカーテン生地２２ａはフレーム２１及び操作装置３１をほぼ覆うように吊下支持されている。
【００４７】
図４に示すように、前記フレーム２１の中間壁４３の下端には取付辺４４が前方向に回動可能に吊下支持されている。前記中間壁４３はフレーム２１内を前後方向に区画して、前記昇降コード巻取り装置２７ａ，２７ｂ等を収容する収容部４５ａ，４５ｂを形成している。
【００４８】
前記中間壁４３の下端部には前後方向に延びるリブ４６が形成され、そのリブ４６の前端は下方へ延設され、さらに後方へ屈曲され、その後端部が上方へ半円弧状に屈曲されて係止部４７が形成されている。
【００４９】
前記取付辺４４は、前記フレーム２１の長さに前記操作装置３１の左右長を加えた長さの板状の形材で形成され、その上端部には下方へ半円弧状に屈曲する掛止部４８が形成されている。そして、図４に示すように、前記取付辺４４を前記係止部４７に後方から掛止め可能となっている。
【００５０】
前記取付辺４４の前面には、前記フレーム２１の前面の保持溝４１と同様な保持溝４９が形成され、その保持溝４９に面ファスナー５０が挿通されている。前記第二のカーテン生地２２ｂは前記取付辺４４の全長とほぼ等しい横幅で形成され、その上端部が面ファスナー５０に取着されている。
【００５１】
図５に示すように、前記操作装置３１のケース３４下面の前後方向中央部には、前記フレーム２１の係止部４７の延長線上に、上方に向かって凹む回避溝５１が形成されている。そして、前記取付辺４４の掛止部４８の一端部が、回避溝５１内に延設されるようになっている。
【００５２】
このような構成により、図３に示すように、第二のカーテン生地２２ｂを取着する取付辺４４は、フレーム２１の一端部に取着される操作装置３１の端部まで延設され、その取付辺４４に取着される面ファスナー５０に第二のカーテン生地２２ｂの上端部が取着される。
【００５３】
上記のように構成されたカーテン生地取付装置では、次に示す作用効果を得ることができる。
（１）室内側の第一のカーテン生地２２ａの端縁を、操作装置３１の端部に位置させた状態で吊下支持することができる。
（２）室外側の第二のカーテン生地２２ｂの端縁を、操作装置３１の端部に位置させた状態で吊下支持することができる。
（３）第一及び第二のカーテン生地２２ａ，２２ｂの端縁と窓枠との間に、操作装置３１の厚み分の隙間を生じさせることはない。従って、第一及び第二のカーテン生地２２ａ，２２ｂの端縁と窓枠との間からの光漏れを防止することができる。
（４）第一のカーテン生地２２ａをその両端部まで面ファスナー４０に取着することができる。従って、操作装置３１を覆う第一のカーテン生地２２ａの端部が垂れ下がることはない。
（５）第一及び第二のカーテン生地２２ａ，２２ｂの端縁と窓枠との間からの光漏れを防止しながら、第一及び第二のカーテン生地２２ａ，２２ｂの横幅を同一とすることができる。従って、第一及び第二のカーテン生地２２ａ，２２ｂの縫製作業を容易に行うことができる。
（６）ボールチェーン３２を操作装置３１から第一のカーテン生地２２ａと第二のカーテン生地２２ｂとの間に垂下することができる。従って、ボールチェーン３２の操作性を低下させることはない。
（７）プーリー３３を操作装置３１内の上部に設けたので、プーリー３３が回避溝５１に干渉することはない。
（第二の実施形態）
図１０〜図１４は、カーテン生地取付装置の第二の実施形態を示す。この実施形態は、前記第一の実施形態に対し、第二のカーテン生地２２ｂをフレーム２１から吊下支持する構成を変更したものである。第一の実施形態と同一構成部分は、同一符号を付して説明する。
【００５４】
図１０及び図１１に示すように、取付辺４４はフレーム２１から吊下部材５２を介して吊下支持される。前記吊下部材５２は板状に形成されるとともに、その上端部にはフレーム２１の側方から同フレーム２１の係止部４７を嵌挿可能とした第一の嵌合部５３が形成されている。そして、第一の嵌合部５３に係止部４７を嵌挿すると、吊下部材５２がフレーム２１に回動不能に吊下支持される。
【００５５】
前記吊下部材５２の下端部には、同吊下部材５２の側方から取付辺４４の掛止部４８を嵌挿可能とした第二の嵌合部５４が形成されている。そして、第二の嵌合部５４に取付辺４４の掛止部４８を嵌挿すると、取付辺４４が吊下部材５２から回動不能に吊下支持される。
【００５６】
図１０に示すように、前記吊下部材５２は第二の嵌合部５４を除いてフレーム２１とほぼ同一長さで板状に形成されている。第二の嵌合部５４は操作装置５５の下方まで延設されている。
【００５７】
前記吊下部材５２の第二の嵌合部５４は、フレーム２１の長さよりほぼ操作装置５５の厚み分だけ長く形成され、操作装置５５のケース５６の下部まで延設されている。前記取付辺４４は、前記第二の嵌合部５４と同一長さに形成され、その取付辺４４に第二のカーテン生地２２ｂが取着される。
【００５８】
図１２に示すように、前記ケース５６の下部には、前記吊下部材５２の第二の嵌合部５４との干渉を防止する回避溝５７が形成されている。
第一のカーテン生地２２ａは、前記フレーム２１の全長と等しい横幅で形成され、その上端がフレーム２１の前面に取着された面ファスナー４０に取着されている。
【００５９】
図１４に示すように、前記ケース５６の下部にはプーリー３３が回転可能に支持され、そのプーリー３３にボールチェーン３２が掛装されている。また、ケース５６にはプーリー３３から垂下されるボールチェーン３２を、第一のカーテン生地２２ａと第二のカーテン生地２２ｂとの間に垂下させるガイド溝５８が形成されている。
【００６０】
前記ケース５６内には、前記プーリー３３と一体に回転する駆動歯車３５が回転可能に支持されている。駆動歯車３５は、前記プーリー３３と同一の回転軸で一体に回転するとともに、ケース５６内で中央部やや下方に位置している。
【００６１】
前記駆動歯車３５の前後両側において、前記ケース５６には前記駆動歯車３５に常時噛み合う伝達歯車３６ａ，３６ｂが回転可能に支持されている。従って、駆動歯車３５が回転されると、伝達歯車３６ａ，３６ｂが同方向に回転され、第一の実施形態と同様に、伝達歯車３６ａ，３６ｂの回転により、クラッチ装置を介して第一及び第二の駆動軸３０ａ，３０ｂのいずれかが回転される。
【００６２】
この実施形態のカーテン生地取付装置では、次に示す作用効果を得ることができる。
（１）室外側の第二のカーテン生地２２ｂの端縁を、操作装置５５の端部に位置させた状態で吊下支持することができる。従って、第二のカーテン生地２２ｂの端縁と窓枠との間からの光漏れを防止することができる。
（２）ボールチェーン３２を操作装置５５から第一のカーテン生地２２ａと第二のカーテン生地２２ｂとの間に垂下することができる。従って、ボールチェーン３２の操作性を低下させることはない。
（３）フレーム２１から吊下部材５２を介して取付辺４４を吊下支持するので、プーリー３３を伝達歯車３６ａ，３６ｂの下方に設けても、第二の嵌合部５４及び取付辺４４とプーリー３３との干渉を防止することができる。
【００６３】
上記実施形態は、以下の態様で実施してもよい。
・図１５に示すように、第一の実施形態において、ケース３４にガイド溝３９及び保持溝４２を線対称状に設けると、操作装置３１をフレーム２１の右端に取着する右操作用の操作装置、あるいは操作装置３１をフレーム２１の左端に取着する左操作用の操作装置のいずれにも使用可能である。また、図１６に示すように、ボールチェーン３２を第一及び第二のカーテン生地２２ａ，２２ｂの間と、第二のカーテン生地２２ｂの後方に垂下させるようにしてもよい。
・第一の実施形態の第一のカーテン生地２２ａ若しくは第二のカーテン生地２２ｂを吊下支持する構成を、一重タイプのたくし上げカーテンに実施することもできる。
・第二の実施形態の吊下部材５２を、フレーム２１の長手方向において複数個所に点在させるようにしてもよい。
【００６４】
上記実施形態から把握できる技術思想を以下に記載する。
（付記１）
カーテン生地をフレームから取付部材を介して吊下支持し、前記フレームの端部に前記カーテン生地を昇降操作する操作装置を備えたたくし上げカーテンにおいて、
前記フレーム及び操作装置に前記取付部材を保持する保持溝を設け、前記取付部材を前記保持溝の全長に亘って延設し、前記取付部材の全長に亘って前記カーテン生地を取着したことを特徴とするたくし上げカーテンの生地取付装置。
（付記２）
前後方向に２枚の第一及び第二のカーテン生地をフレームから第一及び第二の取付部材を介して吊下支持し、前記フレームの端部に前記カーテン生地を昇降操作する操作装置を備えたたくし上げカーテンにおいて、
操作装置のケースに、ボールチェーンのガイド溝と、前記第一の取付部材を保持する保持溝を前後方向に線対称状に設けたことを特徴とするたくし上げカーテンの生地取付装置。
（付記３）
前後方向に２枚の第一及び第二のカーテン生地をフレームから第一及び第二の取付部材を介して吊下支持し、前記フレームの端部に前記カーテン生地を昇降操作する操作装置を備えたたくし上げカーテンにおいて、
前記操作装置のケースには、該ケースから垂下されるボールチェーンを、前記第一及び第二のカーテン生地の間と第一及び第二のカーテン生地の後方の少なくともいずれかを選択して垂下可能とするガイド溝を設けたことを特徴とするたくし上げカーテンの生地取付装置。
【符号の説明】
【００６５】
２１…フレーム、２２ａ…第一のカーテン生地、２２ｂ…第二のカーテン生地、３１，５５…操作装置、３２…ボールチェーン、３９，５８…ガイド溝、４０…第一の取付部材（面ファスナー）、４１，４２…取付部材（保持溝）、４４…取付部材（取付辺）、５０…第二の取付部材（面ファスナー）、５１…回避溝、５２…取付部材（吊下部材）。
【図１】
0005744456.tif 000002
【図２】
0005744456.tif 000003
【図３】
0005744456.tif 000004
【図４】
0005744456.tif 000005
【図５】
0005744456.tif 000006
【図６】
0005744456.tif 000007
【図７】
0005744456.tif 000008
【図８】
0005744456.tif 000009
【図９】
0005744456.tif 000010
【図１０】
0005744456.tif 000011
【図１１】
0005744456.tif 000012
【図１２】
0005744456.tif 000013
【図１３】
0005744456.tif 000014
【図１４】
0005744456.tif 000015
【図１５】
0005744456.tif 000016
【図１６】
0005744456.tif 000017
【図１７】
0005744456.tif 000018
【図１８】
0005744456.tif 000019
【図１９】
0005744456.tif 000020
【図２０】
0005744456.tif 000021
【図２１】
0005744456.tif 000022
【図２２】
0005744456.tif 000023
【図２３】
0005744456.tif 000024